(57)【要約】      （修正有）【課題】地震時等に家具の振動、揺れ、傾き等に伴いそれが抜け出て家具転倒防止に寄与できる耐震性引出付き家具であって、運搬時等にも引出しが抜け出難い耐震性引出付き家具を提供する。【解決手段】家具本体の引出し部と引出し部に付いた把手６を含む引出し装置を複数段備えた家具において、引出し抜け出し防止機構１２を、前記把手６と係合した引出しの前板８の内面と引出し受け板の上面に取り付けられ、１段以上の引出し部を持つ家具の引出し装置で、引出し装置全部の把手６の一つか二つに引出し抜け出し防止機構１２を取り付けている耐震性引出付き家具である。【選択図】図８
0003177862.tif 000002
【実用新案登録請求の範囲】
【請求項１】
家具本体の引出し部と引出し部に付いた出入の把手を含む引出し装置とを複数段備えた家具において、当該引出し装置全部の把手の一つか二つに引出し抜け出し防止機構を有する引出し装置を取り付けていることを特徴とする耐震性引出付き家具。
【請求項２】
前記引出し抜け出し防止機構を有する引出し装置における引出し抜け出し防止機構は、引出部の前端部の把手に設けられた係合用上フック凸部と、該引出し部に対応する引出し受け板の上面の前端部に設けられた係合用下フック凹部とを含み、係合用下フック凹部を、前記引出し受け板の上面部内の所定収納位置に配置されて、前記係合用上フック凸部に嵌合でき、前記嵌合した両上下フック凹凸係合部材を脱離可能に嵌入できるようになっていることを特徴とする請求項１に記載の耐震性引出付き家具。
【請求項３】
該引出し抜け出し防止機構は、前記把手と係合した引出しの前板の内面と引出し受け板の上面に取り付けられ、引出し部を押し閉めたときに前記把手の係止片と係合する引出し内部の係合部材の下フック凹部と、引出し部の引出し受け板の上面に取り付けた係合部材の上フック凸部とを係合して、把手によって引出しの出没で両上下フック凹凸係合部材の係合を解除できるように取り付けられていることを特徴とする請求項１または請求項２に記載の耐震性引出付き家具。
【請求項４】
前記把手と係合した引出しの前板の内面に取り付けた係合部材の下フック凹部は、前記引出しの前板を貫通して前記引出しの外面から突出した操作部を有し、この操作部が前記引出し部を離間する方向に引かれたときに前記係合部材を移動させて、前記係合部材と把手の係止片との係合を解除させて前記引出しを開くようにしている引出し抜け出し防止機構を取り付けられている係合部材であることを特徴とする請求項１〜請求項３のいずれかに記載の耐震性引出付き家具。
【請求項５】
前記把手の係止片と係合する係合部材の上フック凸部は、両上下フック凹凸係合部材を係合できるように、複数段備えた家具における引出し受け板の最前部付近で、前板の内面に取り付けた係合部材の下フック凹部と係合できる位置に取り付けられていることを特徴とする請求項１〜請求項４のいずれかに記載の耐震性引出付き家具。
【請求項６】
前記引出し抜け出し防止機構は、引出し最下面が家具下端より２０ｃｍ以上の上方位置にある引出し装置の全部で、少なくとも一カ所の把手に設けて、引出しの前板の内側面、又は前板の内側における掘り込み部に取り付けていることを特徴とする請求項１〜請求項５のいずれかに記載の耐震性引出付き家具。
【請求項７】
各段の引出し装置は、所定収納された状態で引出し部に家具の振動、揺れ、傾きに起因する抜き出し方向の力が働いても該引出しの抜け出しを防止できるようになっていて、前記引出し装置にある引出し抜け出し防止機構を引出の前板の下フック凹係合部材と引出し受け板の上フック凸係合部材とを係合でき、把手の操作のみによって前記係合を解除できる構成になっていることを特徴とする請求項１〜請求項６のいずれかに記載の耐震性引出付き家具。
【考案の詳細な説明】
【技術分野】
【０００１】本考案は、複数段に引出し装置を備えた各種箪笥，食器棚、チェスト、本棚等の耐震性引出付き家具に関する。
【背景技術】
【０００２】家具の引出し装置は、通常、家具本体に設けた引出し挿入部と、これに対し出入自在の引出しとから構成されており、任意に引出しを開け閉めできるようになっている。【０００３】しかしながら、従来の家具における引出し装置は、家具が、地震時、家具運搬時等において引出し開け閉め側に傾いたり、引出し開け閉め方向に揺れる等したとき、引出しが家具本体からその自重で、或いは引出しの持つ慣性力で自然に抜け出て、引出し内部のものが周囲に散乱し、貴重な品物が損傷するばかりか、それらが人体に当たったり、引出し自身が人体や周囲の物に当たる等して人的、物的損傷を招くことがある。【０００４】地震発生時の衝撃や揺れに耐えて、必要に応じて簡単に脱着できるタンス等の家具転倒防止具として天板にスプリング固定具を取り付けたものを提供されている。
一般に天井面とその天井面に面する家財道具の上面との間に介在させた転倒防止部材によりこの家財道具の傾斜時にその家財道具を支え得るようにした家財道具の転倒防止具において、家財道具の上面に面する転倒防止部材の下面に設けた貼着面にシート状被覆部を貼り付けるとともに、シート状摘み部をこのシート状被覆部につなげて設け、家財道具の上面に転倒防止部材の下面を載せた状態でその家財道具の上面と転倒防止部材の下面との間から外側へこのシート状摘み部を引き出すことによりシート状被覆部を転倒防止部材の下面の貼着面から剥がすことができる家財道具の転倒防止具が提案されている（特許文献１参照）。【０００５】家具本体の引出し挿入部とこれに対し出入自在の引出しとを含む引出し装置を上下方向に複数段備えた家具であり、最下段の引出し装置を含めそれから上方へ１段又は２段以上の家具下部の引出し装置を除外した、それより上側の引出し装置の一部又は全部が引出し抜け出し防止機構を有しており、該引出し抜け出し防止機構は、引出しが対応する引出し挿入部内の所定収納位置に配置された状態で該引出しに家具の振動、揺れ、傾きのうちの１又は２以上に起因する抜き出し方向の力が働いても該引出しの抜け出しを防止するように構成されている引出し装置付き耐震性家具が提案されている（特許文献２参照）。【０００６】また、子供が箪笥等の家具を置いた部屋で遊ぶとき、その家具近くでの悪戯等により該家具が揺れたり、子供が直接家具に触れるなどして該家具の引出しが抜け出ることがあり、このときも、引出し内部のものが周囲に散乱し、貴重な品物が損傷するばかりか、それらが子供に当たったり、引出し自身が子供や周囲の物に当たる等して人的、物的損傷を招くことがある。【０００７】引出し装置によっては施錠可能なものがあり、施錠可能な引出しについては、予め施錠しておくことでこのような事故回避が可能であると考えられるが、たとえ施錠可能な引出しでも、普段の生活においては、引出しを開け閉めするのにいちいち解錠、施錠するのは煩わしいことから、施錠されないことが多々あり、このようなときに地震が発生したり、子供の悪戯等があると、前記のように人的、物的損傷が発生し、酷いときには、抜け出た引出しが人頭を直撃する等して死を招くことすらある。【０００８】また、従来の、引出しを手前に引く或いは押し込むだけで引出しを開閉できる引出し装置では、泥棒が家屋に侵入したとき、施錠されていない限り、人に見つからないうちに、家人が戻らないうちにといった泥棒の差し迫った心理状態においても、きわめて簡単に引出しを開けて、引出し内を物色できるという問題もある。【０００９】泥棒が開け易いという問題を別にして、地震、家具運搬等や、子供の悪戯に伴う引出しの抜け出しによる上記問題は、特に、家具上部の引出し装置について発生し易い。なお、家具下部の引出しについては、地震時等に、家具の振動、揺れ、傾き等に伴い一部抜け出すことで、却ってそれが支えとなって家具の前方への転倒を防止できることがある。また、下部の引出しは抜け出ても、上部の引出しに比べて危険は少なく、内容物の散乱も少ない。【００１０】タンス等の家具の転倒を防止することができる上にこの家具の上を有効にかつ見栄えよく利用することができる転倒防止家具を提供するためにタンス、キャビネット、食器棚等の家具と天井との間に設けられる転倒防止家具であって、前記家具の上面に載置され、前記天井の近傍に天板が位置されると共に開き扉を有する収納ボックスと、この収納ボックスの天板と前記天井の間に設けられ、前記天板に複数設けられた昇降部材により昇降されて前記天井に面接触される当接板と、前記収納ボックス内に設けられた係止片と、前記扉に設けられ、前記扉を閉めたときに前記係止片と係合する耐震ラッチとを備えたものがある（特許文献３参照）。【００１１】固定側レールを有するキャビネットと、このキャビネットに挿入した状態で前記固定側レールに沿って案内される案内側レールを有し前記キャビネットに引き出し可能に挿入される引き出し体と、前記キャビネットの内側面に取り付けられ振動感知時に前記キャビネットの内側方向に突出、あるいはこの突出した状態が固定されるラッチを有するラッチ本体と、前記引き出し体に取り付けられ前記ラッチ本体の振動感知時に前記ラッチが係合して前記引き出し体の移動を停止させるラッチ受けとを具備し、前記ラッチ本体は、前記固定側レールから上下方向のいずれかの方向に向けて離間した位置に取り付けられている引出装置が提案されている（特許文献４参照）。【００１２】タンス、キャビネット、食器棚等の家具は、天井との間隔が１０ｃｍ以上になると、地震の強い揺れにより転倒する危険がおおいにある。家具の高さが天井と同じであれば家具が転倒しないが、天井と同じ高さの家具は注文家具でないとほとんどないのが現状である。このため、家具の上面に転倒防止具を設ける。【００１３】地震においての転倒防止具は、スプリングの一端部を家具の上面に取り付けると共にスプリングの他端部を天井近傍の壁面に取り付けることにより、地震の揺れをスプリングの付勢力で吸収して家具の転倒を防止しようとするものである。また、家具の上面と天井との間に伸縮可能な支柱である転倒防止具を取り付けることにより、家具の転倒を防止することができることが提案されている（特許文献５参照）。【００１４】上記のように地震に対して転倒防止具は提案されているが、壁、床、天井に取り付けており、家具自身になっているものは少ない、とくに引出付きの家具については引出の抜出をなくすれば解決できるものである。
【先行技術文献】
【特許文献】
【００１５】
【特許文献１】特開２００７−１９５９１１号公報
【特許文献２】登録実用新案第３０３１８０９号公報
【特許文献３】特開２００７−１４３７６７号公報
【特許文献４】特開２００７−１１３３１４号公報
【特許文献５】特開平８−２１４９７１号公報
【考案の概要】
【考案が解決しようとする課題】
【００１６】本考案は、複数段に引出し装置を備えた家具であって、該引出し装置のうち、抜け出ると危険であり、内容物がひどく散乱したり、損傷したりする恐れのある上部の引出し装置については、家具が地震時、運搬時等に引出し開け閉め側へ傾いたり、引出し開け閉め方向に揺れる等しても、また、引出しが抜け出難く、それだけ安全であるとともに、該家具の運搬、移動において、施錠無しでも、該引出しの抜け出る恐れが極めて少なく、それだけ安全に該家具を運搬、移動でき、下部の引出しについては、地震時等に箪笥などの家具の振動、揺れ、傾き等に伴い、引出が抜け出て家具自身の転倒防止に寄与できる耐震性引出付き家具を提供することを課題になっている。【００１７】また、引出しを手前に引く或いは押し込むだけで引出しを開閉できる引出し装置では、泥棒が家屋に侵入したとき、施錠されていない限り、人に見つからないうちに、泥棒の差し迫った心理状態においても、きわめて簡単に引出しを開けて、引出し内を物色できるという問題もある。【００１８】また、子供が箪笥等の家具を置いた部屋で遊ぶとき、子供が直接家具に触れるなどして該家具の引出しが抜け出ることがあり、このときも、引出し内部のものが周囲に散乱し、貴重な品物が損傷するばかりか、引出し自身が子供や周囲の物に当たる等して人的、物的損傷を招くことがある。【００１９】引出し装置によっては施錠可能なものがあり、施錠可能な引出しについては、予め施錠しておくことでこのような事故回避が可能であると考えられるが、たとえ施錠可能な引出しでも、普段の生活においては、引出しを開け閉めするのにいちいち解錠、施錠するのは煩わしいことから、施錠されないことが多々あり、このようなときに地震が発生したりすると、前記のように人的、物的損傷が発生し、抜け出た引出しが人頭を直撃する等して死を招くことすらある。大きな振動によっても引出装置の引出が簡単に抜け出しを起こらないような家具が要請されている。地震時等に家具の振動、揺れ、傾き等に伴いそれが抜け出て家具転倒防止に寄与できる耐震性引出付き家具を提供することを課題とする。
【課題を解決するための手段】
【００２０】本考案は前記課題を解決するため、家具本体の引出し部とこれに対し出入自在の引出しとを含む引出し装置を上下方向に複数段備えた家具であり、最下段の引出し装置を含め、それより上側の引出し装置の一部又は全部が引出し抜け出し防止機構を有しており、該引出し抜け出し防止機構は、引出しが対応する引出し部内の所定収納位置に配置された状態で該引出しに家具の振動、揺れ、傾きのうちの１又は２以上に起因する抜き出し方向の力が働いても該引出しの抜け出しを防止するように構成されている。【００２１】家具には、箪笥、食器棚、チェスト等の各種家具が含まれる。前記引出し抜け出し防止機構は、例えば、引出し最下面が家具下端より２０ｃｍ未満の引出し装置には設けず、引出し最下面が家具下端より２０ｃｍ以上の上方位置にある引出し装置の全部に設けることが考えられる。【００２２】引出し抜け出し防止機構を備えた引出し装置については、地震時、家具運搬時等に家具が引出し開け閉め側へ傾いたり、引出し開け閉め方向に揺れる等しても、また、該家具近くでの子供の悪戯があっても、引出しが家具本体から抜け出難く、それだけ安全であるとともに、家具の運搬、移動において、施錠無しでも、引出しの抜け出る恐れが少なく、それだけ安全に家具を運搬、移動できる。【００２３】また、引出し抜け出し防止機構を備えた引出し装置については、泥棒が家屋に侵入して引出し内を物色しようとするとき、泥棒の差し迫った心理状態では引出しを簡単には開け難く、それだけ泥棒による被害を抑えることができる。【００２４】家具本体の引出し部と引出し部に付いた出入の把手を含む引出し装置を複数段備えた家具において、引出し装置全部の取手把手の一つか二つに引出し抜け出し防止機構を取り付けている耐震性引出付き家具である。【００２５】該引出し抜け出し防止機構は、前記把手と係合した引出しの前板の内面と引出し受け板の上面に取り付けられ、引出し部を押し閉めたときに前記把手の係止片と係合する引出し内部の係合部材の上フック凸部と、引出し受け板の上面に取り付けた係合の下フック凹部とを係合して、把手によって引出しの出没で両上下フック凹凸の係合を解除できるように取り付けている。【００２６】前記引出し受け板の上面に取り付けた係合の下フック凹部は、前記引出しの前板を貫通して前記引出しの外面から突出した操作部を有し、この操作部を前記扉の外面から離間する方向に引っ張ったときに前記係合部材を移動させて前記係合部材と前記係止片との係合を解除させて前記扉を開く操作部材とを備えている。【００２７】前記把手の係止片と係合する引出し内部の係合部材の上フック凸部は、家具本体の引出し部と引出し部に付いた出入できる把手を含む引出し装置を複数段備えた家具の引出しの受け板の最前部に固定している。【００２８】前記引出し抜け出し防止機構は、引出し最下面が家具下端より２０ｃｍ以上の上方位置にある引出し装置の全部で、少なくとも一カ所の出入取手把手に設けて、引出しの前板の裏面、又は掘り込み状態で取り付けている。【００２９】最上段の引出し装置は前記引出し抜け出し防止機構を備えて、引出しが対応する引出し挿入部内の所定収納位置に配置された状態で該引出しに家具の振動、揺れ、傾きに起因する抜き出し方向の力が働いても該引出しの抜け出しを防止できるようになっているように構成されている。【００３０】前記引出し抜け出し防止機構を有する引出し装置における引出し抜け出し防止機構は、引出部の前端部の把手に設けられた係合用上フック凸部と、該引出し部に対応する引出し受け板の上面の前端部に設けられた係合用下フック凹部とを含み、係合用下フック凹部を、前記引出し受け板の上面部内の所定収納位置に配置されたとき、前記係合用上フック凸部に脱離可能に嵌合でき、引出しの前端部に設けられた係合用上フック凸部と、引出し部に対応する引出し受け板の上面の前端部に設けられた係合用下フック凹部とを所定収納位置に配置されたとき、前記係合用両上下フック凹凸部が脱離可能に嵌入できるものである耐震性引出付き家具である。【００３１】各段の引出し装置は、所定収納された状態で引出し部に家具の振動、揺れ、傾きに起因する抜き出し方向の力が働いても該引出しの抜け出しを防止できるようになっていて、前記引出し装置にある引出し抜け出し防止機構を引出の前板と引出し受け板に両上下フック凹凸を係合できる構成になっている。【００３２】前記引出し抜け出し防止機構を有する引出し装置における引出し抜け出し防止機構は、引出部の前端部の把手に設けられた係合用上フック凸部と、該引出し部に対応する引出し受け板の上面の前端部に設けられた係合用下フック凹部とを含み、係合用下フック凹部を、前記引出し受け板の上面部内の所定収納位置に配置されて、前記係合用上フック凸部に嵌合でき、前記嵌合した両上下フック凹凸部を脱離可能に嵌入できるようになっている。【００３３】箪笥の段数は４〜１０段で、幅６００ｍｍ〜１２００ｍｍ、高さ５００〜１８００ｍｍ、奥行き４００ｍｍ〜６００ｍｍに使用でき、材料として前板は桐、パイン、ウォールナット、ラバーウッドの無垢材、あるいはフラッシュ材も使用できる。
【考案の効果】
【００３４】以上説明したように本考案によると、複数段に引出し装置を備えた家具であって、該引出し装置のうち、抜け出ると危険であり、内容物がひどく散乱したり、損傷したりする恐れのある上部の引出し装置については、家具が地震時、運搬時等に引出し開け閉め側へ傾いたり、引出し開け閉め方向に揺れるとしても、また、該家具近くでの子供の悪戯があっても、引出しが抜け出難く、それだけ安全である。【００３５】また該家具の運搬、移動において、施錠無しでも、該引出しの抜け出る恐れが極めて少なく、それだけ安全に該家具を運搬、移動でき、下部の引出しについては、地震時等に家具の振動、揺れ、傾き等に伴いそれが抜け出て家具転倒防止に寄与できる耐震性引出し付き家具を提供できる。【００３６】また、泥棒が家屋に侵入して引出し内を物色しようとするとき、泥棒の差し迫った心理状態では簡単には開け難く、それだけ泥棒による被害を抑えることができる引出し装置を備えた耐震性引出付き家具を提供できる。
【図面の簡単な説明】
【００４０】
【図１】耐震性引出付き家具の斜視図
【図２】耐震性引出付き家具の正面図
【図３】耐震性引出付き家具の側面図
【図４】把手付き引出し部の平面図
【図５】耐震性引出付き家具で把手付き引出し部を除いた枠体の正面図
【図６】耐震性引出付き家具で把手付き引出し部を一部引き出した側面図
【図７】引出し抜け出し防止機構の構造図  Ａ：ロック状態、Ｂ：ロック解除状態、Ｃ：分解状態
【図８】引出し抜け出し防止機構の取り付け図  Ａ：取り付け前  Ｂ：取り付け断面
【図９】引出し部の引出し受け板の取り付け図  Ａ：正面図  Ｂ：ロック状態側面図  Ｃ：解除状態側面図
【図１０】把手の係止片とフックを係合する引出を内臓した耐震性引出付き家具の図  Ａ：４段８引出箪笥  Ｂ：６段箪笥、Ｃ：９段箪笥
【考案を実施するための形態】
【００４１】本考案の実施の形態を、図面によって説明する。以下に説明する本考案に係る家具は箪笥であり、いずれも上方向に５〜１０段に引出し装置を有している。
引出し装置のそれぞれには引出し抜け出し防止機構が設けられた。
【００４２】図１は耐震性引出付き家具の斜視図であって、平面図を図２に、側面図を図３に示し、把手付き引出し部の平面図、正面図、側面図をそれぞれ図４、図５、図６に示した。さらに引出し抜け出し防止機構の構造図と取り付け図をそれぞれ図７、図８に示し、図９は、引出し部の引出し受け板の取り付け図、図１０は把手の係止片を使用した箪笥の図である。
【実施例１】
【００４３】図１，２，３に示すように耐震性引出付き家具の箪笥は、本体の引出し部と引出し部に付いた出入の把手を含む引出し装置を５段備えたＭＤＦ材の厚さ２０ｍｍで、全体の寸法  高さ１０１８ｍｍ、幅７９８ｍｍ、奥行き４５０ｍｍ、引出部１７５ｍｍ４段、１４０ｍｍ１段の家具であって、各引出部に２個の把手を持ち、当該引出し装置全部の把手の一つに図７，８の引出し抜け出し防止機構を、図９の引出し受け板と前板に取り付けた。【００４４】該引出し抜け出し防止機構は、図３、図４のように前記把手と係合した引出しの前板の内面に、図５、図６のように引出し受け板の上面に取り付けられ、引出し部を押し閉めたときに前記把手の係止片と係合する引出し内部の係合部材の下フック凸部と、引出し部の引出し受け板の上面に取り付けた係合部材の上フック凹部とを係合して、把手によって引出しの出没で両上下フック凹凸の係合を解除できるように取り付けた。【００４５】引出の使用時には取手の把手を引っ張ることによってロックが解除になって、引出を出すことができた。しかし箪笥自体を大きく揺らしても引出は前には出なかった。
この図１に示す５段の箪笥家具は、震度６程度の振動を与えても、引出は抜けることはなかった。また運送中にも傾きによる引出の突出はなかった。
【実施例２】
【００４６】図１０−Ａに示すように耐震性引出付き家具の箪笥は、本体の引出し部と引出し部に付いた出入の把手を含む引出し装置を４段備えたパイン材の厚さ２０ｍｍで、全体の寸法  高さ８００ｍｍ、幅９００ｍｍ、奥行き４５０ｍｍ、引出部１７５ｍｍ３段、１４０ｍｍ１段の家具であって、各引出部に１個の把手を持ち、当該引出し装置全部の把手の一つに図７，８、の引出し抜け出し防止機構を、図９の引出し受け板と前板に取り付けた。【００４７】該引出し抜け出し防止機構は、図３、のように前記把手と係合した引出しの前板の内面に、図５、のように引出し受け板の上面に取り付けられ、引出し部を押し閉めたときに前記把手の係止片と係合する引出し内部の係合部材の下フック凸部と、引出し部の引出し受け板の上面に取り付けた係合部材の上フック凹部とを係合して、把手によって引出しの出没で両上下フック凹凸の係合を解除できるように取り付けた。引出の使用時には取手の把手を引っ張ることによってロックが解除になって、引出を出すことができた。しかし箪笥自体を大きく揺らしても引出は前には出なかった。
この図１０−Ａに示す４段の箪笥家具は、震度６の振動を与えても、引出は抜けることはなかった。
【実施例３】
【００４８】図１０−Ｂに示すように耐震性引出付き家具の箪笥は、本体の引出し部と引出し部に付いた出入の把手を含む引出し装置を６段備えた桐材の厚さ２５ｍｍで、全体の寸法  高さ１２００ｍｍ、幅９００ｍｍ、奥行き４５０ｍｍ、引出部１７５ｍｍ５段、１４０ｍｍ１段の家具であって、各引出部に２個の把手を持ち、当該引出し装置全部の把手の一つに図７，８、の引出し抜け出し防止機構を、図９の引出し受け板と前板に取り付けた。【００４９】該引出し抜け出し防止機構は、図４のように前記把手と係合した引出しの前板の内面に、図６のように引出し受け板の上面に取り付けられ、引出し部を押し閉めたときに前記把手の係止片と係合する引出し内部の係合部材の下フック凸部と、引出し部の引出し受け板の上面に取り付けた係合部材の上フック凹部とを係合して、把手によって引出しの出没で両上下フック凹凸の係合を解除できるように取り付けた。引出の使用時には取手の把手を引っ張ることによってロックが解除になって、引出を出すことができた。しかし箪笥自体を大きく揺らしても引出は前には出なかった。
この図１０−Ｂに示す６段の箪笥家具は、震度６の振動を与えても、引出は抜けることはなかった。
【実施例４】
【００５０】図１０−Ｃに示すように耐震性引出付き家具の箪笥は、本体の引出し部と引出し部に付いた出入の把手を含む引出し装置を７段備えたフラッシュ材の厚さ２０ｍｍで、全体の寸法  高さ１７００ｍｍ、幅９００ｍｍ、奥行き４５０ｍｍ、引出部１７５ｍｍ８段、１４０ｍｍ１段の家具であって、各引出部に２個の把手を持ち、当該引出し装置全部の把手の一つに図７，図８の引出し抜け出し防止機構を取り付けた。【００５１】該引出し抜け出し防止機構は、図１０−Ｃの前記把手と係合した引出しの前板の内面と図９の引出し受け板の上面に取り付けられ、引出し部を押し閉めたときに前記把手の係止片と係合する引出し内部の係合部材の凸部と、引出し部の引出し受け板の上面に取り付けた係合部材の凹部とを係合して、把手によって引出しの出没で凹凸の係合を解除できるように取り付けた。この９段の箪笥家具を震度６の振動を与えても、引出は抜けることはなかった。
【符号の説明】
【００５２】１．天板
２．側板
３．壁板
４．棚板（引出し受け板）
５．耐震ラッチ（下フック凹部）
６．把手ツマミ
７．ラッチストッパー（上フック凸部）
８．引出前板
９・引出側板
１０．引出底板
１１．引出向板
１２．引出し抜け出し防止機構
１３．係合部材の上フック凸部
１４．係合部材の下フック凹部
１５．係止片
１６．引出し受け板
１７．操作部
１８．箪笥
１９．家具
２０．引出
２１．スプリング
２２．固定ボルト
２３．連動アーム
【図１】
0003177862.tif 000003
【図２】
0003177862.tif 000004
【図３】
0003177862.tif 000005
【図４】
0003177862.tif 000006
【図５】
0003177862.tif 000007
【図６】
0003177862.tif 000008
【図７】
0003177862.tif 000009
【図８】
0003177862.tif 000010
【図９】
0003177862.tif 000011
【図１０】
0003177862.tif 000012